(57)【要約】【課題】１次コイルと２次コイルとの間の電磁誘導により、浴室部材の紫外線を点灯させるようにした浴室を提供する。【解決手段】浴槽１のフランジ１ａには、蓋２Ｌ用及び蓋２Ｒ用の各１次コイル３が設けられている。蓋２Ｌ，２Ｒがそれぞれ正規姿勢で浴槽１に装着されると、各蓋２Ｌ，２Ｒに設けられた２次コイル６，６が１次コイル３，３にそれぞれ対峙して該２次コイル６，６に誘導電流が発生し、この誘導電流により紫外線ＬＥＤ５が点灯する。【選択図】図１
2006305109.tif 000002
【特許請求の範囲】
【請求項１】
移動可能な浴室部材を備えた浴室用構成部材において、
該浴室部材には２次コイル及び該２次コイルから給電されて紫外線を発光する紫外線発光体が設けられ、
該浴室用構成部材には、該浴室部材が規定位置に配置されたときに該２次コイルが対峙するように１次コイルが設けられていることを特徴とする浴室用構成部材。
【請求項２】
請求項１において、前記浴室部材は浴槽の蓋であり、前記１次コイルは該浴槽のフランジに設けられていることを特徴とする浴室用構成部材。
【請求項３】
請求項２において、前記蓋は上面と下面とで別異の意匠のものであり、
該蓋の下面に、浴槽内に向って紫外線を照射するように前記紫外線発光体が設けられており、
前記１次コイルと２次コイルとは、蓋が正規姿勢にて浴槽に被せられたときに２次コイルに誘導電流が流れるよう構成されていることを特徴とする浴室用構成部材。
【請求項４】
請求項３において、前記蓋が正規姿勢にて浴槽に被せられたことを検知するためのリードスイッチが設けられていることを特徴とする浴室用構成部材。
【請求項５】
請求項３において、前記１次コイルのインピーダンスを検出することにより前記蓋が正規姿勢にて浴槽に被せられたことを検知するためのインピーダンス検出手段が設けられていることを特徴とする浴室用構成部材。
【請求項６】
請求項１において、前記浴室部材は浴室用の椅子であり、前記１次コイルは浴室の洗い場の隅部に設けられていることを特徴とする浴室用構成部材。
【請求項７】
請求項１において、前記浴室部材は浴室用のブラシであり、該浴室に該ブラシを掛けるためのフックが設けられており、
前記１次コイルは該フック又はその近傍に設けられていることを特徴とする浴室用構成部材。
【請求項８】
請求項７において、前記フックは鉄心であり、前記１次コイルと略同軸的に配置されていることを特徴とする浴室用構成部材。
【請求項９】
請求項１において、前記浴室部材は浴室の天井又は立面に設けられた作業用開口の蓋であり、
該蓋の裏側に前記紫外線発光体が設けられていることを特徴とする浴室用構成部材。
【発明の詳細な説明】
【技術分野】
【０００１】
本発明は、浴槽の蓋、浴室用椅子、浴室用ブラシ等の浴室部材を有する浴室用構成部材に係り、特に浴室部材に紫外線を発光する紫外線発光体が設けられた浴室用構成部材に関する。
【背景技術】
【０００２】
浴槽に被せる蓋の下面に紫外線ＬＥＤを設け、浴槽の内面にカビやヌメリが付くことを防止することが特開２００１−９５６９９号の第００１１段落及び図１０に記載されている。
【０００３】
特開２００４−２５４８０５号には、浴槽内にマッサージ機、照明、ヒータ、ポンプ等の機器を配置すると共に、該機器に２次コイルを設け、浴槽外に配置した１次コイルとの間の電磁誘導により該機器に給電することが記載されている。
【０００４】
特開２００３−１７４９７８号の図６，８には、シャワーヘッドに超音波発生器及び２次コイルを設けると共に、シャワーフックに１次コイルを設け、これら１次コイル、２次コイル間の電磁誘導により超音波発生器に給電することが記載されている。
【特許文献１】特開２００１−９５６９９号
【特許文献２】特開２００４−２５４８０５号
【特許文献３】特開２００３−１７４９７８号
【発明の開示】
【発明が解決しようとする課題】
【０００５】
本発明は、１次コイルと２次コイルとの間の電磁誘導により、浴室部材の紫外線を点灯させるようにした浴室用構成部材を提供することを目的とする。
【課題を解決するための手段】
【０００６】
請求項１の浴室用構成部材は、移動可能な浴室部材を備えた浴室用構成部材において、該浴室部材には２次コイル及び該２次コイルから給電されて紫外線を発光する紫外線発光体が設けられ、該浴室用構成部材には、該浴室部材が規定位置に配置されたときに該２次コイルが対峙するように１次コイルが設けられていることを特徴とするものである。
【０００７】
請求項２の浴室用構成部材は、請求項１において、前記浴室部材は浴槽の蓋であり、前記１次コイルは該浴槽のフランジに設けられていることを特徴とするものである。
【０００８】
請求項３の浴室用構成部材は、請求項２において、前記蓋は上面と下面とで別異の意匠のものであり、該蓋の下面に、浴槽内に向って紫外線を照射するように前記紫外線発光体が設けられており、前記１次コイルと２次コイルとは、蓋が正規姿勢にて浴槽に被せられたときに２次コイルに誘導電流が流れるよう構成されていることを特徴とするものである。
【０００９】
請求項４の浴室用構成部材は、請求項３において、前記蓋が正規姿勢にて浴槽に被せられたことを検知するためのリードスイッチが設けられていることを特徴とするものである。
【００１０】
請求項５の浴室用構成部材は、請求項３において、前記１次コイルのインピーダンスを検出することにより前記蓋が正規姿勢にて浴槽に被せられたことを検知するためのインピーダンス検出手段が設けられていることを特徴とするものである。
【００１１】
請求項６の浴室用構成部材は、請求項１において、前記浴室部材は浴室用の椅子であり、前記１次コイルは浴室の洗い場の隅部に設けられていることを特徴とするものである。
【００１２】
請求項７の浴室用構成部材は、請求項１において、前記浴室部材は浴室用のブラシであり、該浴室に該ブラシを掛けるためのフックが設けられており、前記１次コイルは該フック又はその近傍に設けられていることを特徴とするものである。
【００１３】
請求項８の浴室用構成部材は、請求項７において、前記フックは鉄心であり、前記１次コイルと略同軸的に配置されていることを特徴とするものである。
【００１４】
請求項９の浴室用構成部材は、請求項１において、前記浴室部材は浴室の天井又は立面に設けられた作業用開口の蓋であり、該蓋の裏側に前記紫外線発光体が設けられていることを特徴とするものである。
【発明の効果】
【００１５】
請求項１の浴室用構成部材にあっては、浴室部材を規定位置に配置すると、１次コイルと２次コイルとが対峙し、電磁誘導により２次コイルに誘導電流が流れ、この電流により紫外線発光体が点灯し、紫外線が照射される。
【００１６】
なお、本発明において、浴室用構成部材とは、浴室を構成する各部材の総称であり、具体的には、浴室内に設置される浴槽や該浴槽のエプロン部分、洗い場としての床、あるいは浴室自体の壁や天井などが例示される。もちろん、上記以外の構成部材も含まれる。
【００１７】
また、本発明において、浴室部材とは、これらの浴室用構成部材に対し移動可能に設けられた部材の総称であり、具体的には、浴槽の蓋や、上記エプロン部分、壁又は天井等に設けられた作業用開口（例えば点検口）の蓋、浴室用椅子、浴室用ブラシなどが例示される。もちろん、上記以外の浴室部材も含まれる。
【００１８】
請求項２の浴室用構成部材にあっては、蓋を浴槽のフランジに被せて１次コイルと２次コイルとが対峙すると、紫外線発光体が点灯可能となる。
【００１９】
請求項３の浴室用構成部材にあっては、蓋を正規姿勢にて浴槽に被せた場合に紫外線発光体が点灯可能となる。
【００２０】
請求項４の浴室用構成部材にあっては、蓋が正規姿勢にて浴槽に被せられると、例えばフランジに設けられた磁石の磁力に対し蓋に設けられたリードスイッチが感磁し、２次コイルから紫外線発光体に給電可能となる。
【００２１】
請求項５の浴室用構成部材にあっては、１次コイルと２次コイルとが対峙した場合と離隔した場合とで１次コイルのインピーダンスが異なるので、１次コイルのインピーダンスを検出することにより蓋が正規姿勢にて被せられたか否か検知することが可能である。
【００２２】
請求項６の浴室用構成部材によると、椅子を洗い場の隅に片付けると、椅子の紫外線発光体が発光可能となる。従って、洗い場にて椅子を使用しているときに予期せずに紫外線発光体が発光することがない。
【００２３】
請求項７の浴室用構成部材によると、ブラシをフックに掛けた場合に、ブラシに設けた紫外線発光体が発光可能となる。従って、湿ったブラシが対面する壁面に紫外線を照射してカビやヌメリ発生を防止することができる。
【００２４】
請求項８によると、鉄心を介して２次コイルに効率良く誘導電流を発生させることができる。
【００２５】
請求項９によると、作業用開口に蓋を装着したときだけ蓋裏側スペースに向って紫外線を照射することができる。
【発明を実施するための最良の形態】
【００２６】
以下、図面を参照して本発明の実施の形態について説明する。
【００２７】
第１図は実施の形態に係る蓋付き浴槽の断面図、第２図及び第３図はそれぞれ蓋装着前後の浴槽（浴室）の平面図、第４図（ａ），（ｂ）はそれぞれ蓋を正しく装着した状態及び蓋を表裏逆にして装着した状態を示す浴槽のフランジ付近の断面図、第５図は紫外線発光装置（２次コイル側）の概略図、第６図及び第７図はそれぞれ蓋を誤った姿勢にて浴槽に装着した状態の一例を示す浴槽の平面図である。なお、第３図は、蓋を正規姿勢にて浴槽に装着した状態を示している。
【００２８】
この実施の形態の浴室部材は浴槽１の蓋２Ｌ，２Ｒである。
【００２９】
第２，３図の通り、この実施の形態では、浴槽１は略長方形の平面視形状を有しており、その一長辺及び一短辺をそれぞれ浴室の直交する２壁面に沿わせるようにして設置されている。この浴槽１の上縁から側外方へ向って水平に張り出すフランジ１ａが設けられている。このフランジ１ａは、浴槽１の４辺に沿って該浴槽１の全周を取り巻くように延設されている。
【００３０】
このフランジ１ａに、蓋２Ｌ用及び蓋２Ｒ用の２個の１次コイル３，３が設けられている。各１次コイル３は、コイルの軸心方向を上下方向としてフランジ１ａの上面近傍に埋め込まれている。この実施の形態では、浴槽１の一長辺に沿うフランジ１ａの該長辺方向両端側のコーナー部付近にそれぞれ１次コイル３が配置されている。
【００３１】
各１次コイル３は交流電源回路（図示略）に接続されており、該交流電源回路から各１次コイル３に対し所定の交流電流が供給されている。
【００３２】
この実施の形態では、各蓋２Ｌ，２Ｒが浴槽１（フランジ１ａ）に被せられたときに後述のリードスイッチ７を感磁させるための、蓋２Ｌ用及び蓋２Ｒ用の２個のマグネット４，４が設置されている。この実施の形態では、各マグネット４は、各１次コイル３に隣接して配置されている。このマグネット４も、フランジ１ａの上面近傍に埋め込まれている。
【００３３】
この実施の形態では、浴槽１の表面に、酸化チタン等の光触媒層（図示略）が設けられている。
【００３４】
第１〜３図の通り、この実施の形態の蓋２Ｌ，２Ｒは、浴槽１の長辺方向の中間から一半側及び他半側（第１〜３図における左半側及び右半側。以下、左右方向はこの左右方向をいう。）にそれぞれ被せられ、これら２枚で浴槽１の上面全体を覆う。この際、これら蓋２Ｌ，２Ｒの周縁部はフランジ１ａの上面に重なる。
【００３５】
なお、この実施の形態では、各蓋２Ｌ，２Ｒは、浴槽１に被せられる際の上面と下面とで意匠が異なっており、視覚的又は触覚的に該上面と下面とを識別しうるように構成されている。また、図示はしないが、これらの蓋２Ｌ，２Ｒには、それぞれ、浴槽１の前記左半側に配置されるものであるか又は右半側に配置されるものであるかを示すマーク等が設けられている。さらに、この実施の形態では、これらの蓋２Ｌ，２Ｒを第３図に示す正規の姿勢で並べたときに各蓋２Ｌ，２Ｒの対向辺と反対側（外側）に位置する辺２ａ，２ａの両端側のコーナー部が丸みを帯びた形状となっており、各蓋２Ｌ，２Ｒの姿勢を確認し易くなっている。
【００３６】
第１図の通り、各蓋２Ｌ，２Ｒの下面には、これらの蓋２Ｌ，２Ｒが浴槽１に被せられたときに該浴槽１の内側領域Ｓ１に向って紫外線を照射する紫外線発光体としての紫外線ＬＥＤ５が設けられている。なお、広い範囲に紫外線を照射するために、ＬＥＤを複数個設けるのが好ましい。また、有機ＥＬなどの面状の紫外線発光体を用いてもよい。
【００３７】
各蓋２Ｌ，２Ｒの周縁部には、これらの蓋２Ｌ，２Ｒが正規姿勢で浴槽１（フランジ１ａ）上に配置されたときにそれぞれ前記蓋２Ｌ用及び蓋２Ｒ用の各１次コイル３の上側に重なる位置関係にて、紫外線発光装置の２次コイル６が設けられている。各２次コイル６は、コイルの軸心方向を上下方向として、各蓋２Ｌ，２Ｒの下面近傍に埋め込まれている。
【００３８】
この実施の形態では、各蓋２Ｌ，２Ｒに、これらの蓋２Ｌ，２Ｒが正規姿勢で浴槽１（フランジ１ａ）上に配置されたときにそれぞれ前記蓋２Ｌ用及び蓋２Ｒ用の各マグネット４の上側に重なる位置関係にて、リードスイッチ７が設けられている。
【００３９】
なお、このリードスイッチ７は、各蓋２Ｌ，２Ｒの下面にごく近接して埋め込まれており、第４図（ａ）のように蓋２Ｌ，２Ｒが規定通り該下面を下向きにしてフランジ１ａ上に重ねられたときには、リードスイッチ７がマグネット４の磁力に感磁してＯＮとなるが、第４図（ｂ）のように蓋２Ｌ，２Ｒが上下逆の姿勢でフランジ１ａ上に重ねられたときには、リードスイッチ７がマグネット４の磁力に対し感磁しうる範囲外に配置され、該リードスイッチ７がＯＮとならないように構成されている。
【００４０】
第５図の通り、各蓋２Ｌ，２Ｒにおいて、２次コイル６に生じた誘導電流は給電回路８を介して紫外線ＬＥＤ５に給電される。この給電回路８に該リードスイッチ７が組み込まれており、該リードスイッチ７がＯＮとなった場合、即ち、各蓋２Ｌ，２Ｒが正規姿勢で浴槽１に被せられた場合にのみ、紫外線ＬＥＤ５への給電が行われるよう構成されている。
【００４１】
このように構成された蓋２Ｌ，２Ｒ付き浴槽１にあっては、蓋２Ｌ，２Ｒを第３図の如く正規姿勢にて浴槽１上に配置すると、各１次コイル３と各２次コイル６とが対峙し、電磁誘導により各２次コイル６に誘導電流が流れると共に、各リードスイッチ７がマグネット４に対峙してＯＮとなり、この電流が給電回路８を介して各紫外線ＬＥＤ５に流れる。これにより、各紫外線ＬＥＤ５が点灯して浴槽１の内側領域Ｓ１に紫外線が照射され、紫外線殺菌及び付着有機物の分解が行われる。この実施の形態では、浴槽１の表面に光触媒層が設けられており、該光触媒層に紫外線が照射されたときに活性酸素が発生し、付着有機物が効率よく分解される。
【００４２】
この蓋２Ｌ，２Ｒ付き浴槽１にあっては、蓋２Ｌ，２Ｒを正規姿勢で浴槽１に被せられたときにのみ紫外線ＬＥＤ５が点灯する。
【００４３】
即ち、例えば、第６図や第７図のように、蓋２Ｌ，２Ｒを非正規姿勢で配置した場合には、各１次コイル３と各２次コイル６並びに各リードスイッチ７と各マグネット４がそれぞれ対峙せず、紫外線ＬＥＤ５への給電が行われない。なお、第６図では、外側辺２ａ，２ａ同士が対向する姿勢にて、蓋２Ｌを浴槽１の右半側に被せ、蓋２Ｒを浴槽１の左半側に被せている。また、第７図では、蓋２Ｌ，２Ｒを正規姿勢から水平面内において１８０゜回転させた姿勢で浴槽１に被せている。
【００４４】
また、仮に、１次コイル３と２次コイル６並びにマグネット４とリードスイッチ７がそれぞれ重なるように配置されていても、蓋２Ｌ，２Ｒが表裏逆に浴槽１に被さっているときには、リードスイッチ７がマグネット４の磁力に対し感磁しないため、紫外線ＬＥＤ５が点灯しない。これにより、紫外線が人体に当たることがない。
【００４５】
１次コイル３と２次コイル６並びにマグネット４とリードスイッチ７の配置に特に制限はなく、任意の位置に配置することができる。第８〜１０図はこれらの別の配置の一例を示す蓋付き浴槽の平面図である。なお、第８図は蓋装着前を示し、第９図は蓋を正規姿勢で装着した状態を示し、第１０図は蓋を非正規姿勢で装着した状態を示している。
【００４６】
この実施の形態では、浴槽１を左右兼用の２枚の蓋２，２で覆うようになっている。
【００４７】
即ち、この実施の形態では、浴槽１の一対角線方向に対向するフランジ１ａの１対のコーナー部にそれぞれ１次コイル３を配置すると共に、蓋２，２を第９図に示す正規姿勢で浴槽１に被せたときに各１次コイル３に重なる、各蓋２のコーナー部にそれぞれ２次コイル６を配置している。また、この実施の形態でも、各１次コイル３に隣接してマグネット４を配置すると共に、蓋２，２を該正規姿勢で浴槽１に被せたときに各マグネット４に重なる位置関係にて、それぞれリードスイッチ７が配置されている。
【００４８】
この実施の形態のその他の構成は前述の第１〜５図の実施の形態と同様となっており、同一符号は同一部分を示している。
【００４９】
この実施の形態にあっては、蓋２，２を並べたときに、表裏が正しく、且つこれらの外側辺２ａ，２ａがそれぞれ外側を向く姿勢であれば、各蓋２を左右どちら側に配置しても、各２次コイル６が１次コイル３に対峙すると共に、各リードスイッチ７がマグネット４に対峙し、紫外線ＬＥＤ５（第８〜１０図では図示略。）が点灯する。
【００５０】
この実施の形態では、第１０図のように、双方又はいずれか一方の蓋２の外側辺２ａが内側（蓋２，２同士の間）を向いた姿勢であると、双方又はいずれか一方の蓋２の２次コイル６及びリードスイッチ７がそれぞれ１次コイル３及びマグネット４と対峙せず、紫外線ＬＥＤ５が点灯しない。
【００５１】
第１１〜１３図は１次コイル３及び２次コイル６等のさらに別の配置の一例を示す蓋付き浴槽の平面図である。なお、第１１図は蓋装着前を示し、第１２図は蓋を正規姿勢で装着した状態を示し、第１３図は蓋を非正規姿勢で装着した状態を示している。
【００５２】
この実施の形態では、浴槽１が左側用蓋２Ｌと右側用蓋２Ｒとによって覆われるようになっている。
【００５３】
この実施の形態では、浴槽１の一長辺に沿うフランジ１ａの右端側のコーナー部に蓋２Ｒ用１次コイル３が設けられると共に、このフランジ１ａの左端側に連なる、浴槽１の一短辺に沿うフランジ１ａの延在方向の途中部に、蓋２Ｌ用１次コイル３が設けられている。また、蓋２Ｒ用マグネット４は、蓋２Ｒ用１次コイル３に隣接して配置され、蓋２Ｌ用マグネット４は、浴槽１の前記一長辺に沿うフランジ１ａの左端側のコーナー部付近に設けられている。
【００５４】
蓋２Ｌ，２Ｒには、これらを第１２図の正規姿勢で並べたときにそれぞれ蓋２Ｌ用又は蓋２Ｒ用の各１次コイル３及びマグネット４にそれぞれ対峙する位置関係にて２次コイル６及びリードスイッチ７が配置されている。
【００５５】
この実施の形態のその他の構成は前述の第１〜５図の実施の形態と同様となっている。
【００５６】
この実施の形態にあっては、蓋２Ｌ，２Ｒを第１２図の正規姿勢で配置した場合に限り紫外線ＬＥＤ５（第１１〜１３図では図示略。）が点灯し、例えば第１３図のように蓋２Ｌ，２Ｒを左右逆に配置した場合などには、紫外線ＬＥＤ５は点灯しない。
【００５７】
なお、上記の各実施の形態では各蓋２Ｌ，２Ｒにリードスイッチ７を設けているが、浴槽１側に蓋２Ｌ用及び蓋２Ｒ用の各リードスイッチ７を設け、例えば蓋２Ｌ，２Ｒが正規姿勢にて浴槽１に被せられたときに各リードスイッチ７がＯＮとなって各１次コイル３に交流電流が供給されるよう構成してもよい。
【００５８】
第１４図はさらに別の実施の形態に係る蓋付き浴槽の紫外線発光装置の概略図である。
【００５９】
上記の各実施の形態では、リードスイッチ７がマグネット４の磁力によりＯＮとなることにより、各蓋２Ｌ，２Ｒが正規姿勢にて配置されたことを検知するよう構成しているが、この実施の形態では、２次コイル６が１次コイル３に対し非対峙である場合と対峙している場合とのインピーダンスの変化に基づいて、各蓋２Ｌ，２Ｒが正規姿勢で配置されているかどうかを判定する。
【００６０】
この実施の形態では、浴槽１に、蓋２Ｌ用及び蓋２Ｒ用の各１次コイル３と、各１次コイル３にそれぞれ交流電流を供給する交流電源装置９と、各１次コイル３を流れる電流を計測してインピーダンスの変化をモニターするモニター回路１０と、各交流電源装置９の出力を制御する出力制御回路１１とが設けられている。なお、この実施の形態では、蓋２Ｌ用１次コイル３と蓋２Ｒ用１次コイル３とに個別に交流電源装置９及びモニター回路１０が接続されている。
【００６１】
各蓋２Ｌ，２Ｒには、それぞれ、紫外線ＬＥＤ５、２次コイル６、及び蓋２Ｌと蓋２Ｒとの識別用のインピーダンス調整回路１２が設けられている。該インピーダンス調整回路１２は、各蓋２Ｌ，２Ｒの２次コイル６が蓋２Ｌ用１次コイル３に対峙したときと蓋２Ｒ用１次コイル３に対峙したときとでそれぞれ異なるインピーダンスが各モニター回路１０によって検出されるよう設定されている。
【００６２】
前記出力制御回路１１は、紫外線ＬＥＤ５を点灯させない待機状態時には、各交流電源装置９から各１次コイル３に対し一定の微弱な電流を供給している。蓋２Ｌ，２Ｒが浴槽１に被せられた場合、各１次コイル３に該蓋２Ｌ，２Ｒの各２次コイル６が接近することにより、インピーダンスが変化する。各モニター回路１０は、このインピーダンスの変化に伴う電流変化をモニターすることにより、蓋２Ｌ，２Ｒが正規姿勢で浴槽１に被さっているか否かを判定する。
【００６３】
蓋２Ｌ，２Ｒが正規姿勢で浴槽１に被せられ、蓋２Ｌ用１次コイル３に蓋２Ｌの２次コイル６が対峙すると共に、蓋２Ｒ用１次コイル３に蓋２Ｒの２次コイル６が対峙した場合には、各モニター回路１０がそれぞれ所定のインピーダンス値を検出する。この場合、各モニター回路１０は、蓋２Ｌ，２Ｒが正規姿勢で浴槽１に被せられたと判定し、出力制御回路１１に対しＬＥＤ点灯信号を出す。この信号を受けて、出力制御回路１１は、各交流電源装置９からの電流を、紫外線ＬＥＤ５を点灯させるのに必要な出力値まで増大させる。
【００６４】
この結果、電磁誘導により各２次コイル６に誘導電流が流れ、各紫外線ＬＥＤ５が点灯する。
【００６５】
なお、この実施の形態では、蓋２Ｌ，２Ｒが浴槽１に被せられても、各モニター回路１０が所定のインピーダンス値を検出しない限り、紫外線ＬＥＤ５は点灯されない。
【００６６】
この実施の形態のその他の構成は前述の第１〜５図の実施の形態と同様である。
【００６７】
第１５図は別の実施の形態に係る浴室の洗い場隅部付近の斜視図であり、第１６図及び第１７図は第１５図のXVI−XVI線及びXVII−XVII線に沿う断面図である。
【００６８】
この実施の形態では、浴室部材は浴室用椅子２０と浴室用ブラシ３０である。
【００６９】
該浴室用椅子（以下、単に椅子と称する。）２０は、第１６図に示すように、人が腰掛ける座板部２１と、該座板部２１の下面から下方に向って立設された略々円筒形の脚部２２と、該脚部２２の下端付近に設けられた２次コイル２３と、該２次コイル２３に生じた誘導電流により点灯して椅子２０の内側（座板部２１の裏面側及び脚部２２の内周面側）領域Ｓ２に紫外線を照射する紫外線ＬＥＤ２４とを有している。
【００７０】
該２次コイル２３は、コイルの軸心方向を上下方向として、該脚部２２の下端付近を周回するように配設されている。この２次コイル２３は、インサート成形等により該脚部２２の材質中に埋め込まれている。
【００７１】
この実施の形態では、第１５図に示すように、浴室の洗い場の隅部床面に、この椅子２０用の１次コイル２５が埋め込まれている。この１次コイル２５は、コイルの軸心方向を上下方向として配設されている。この１次コイル２５には、交流電源装置（図示略）から交流電流が供給されている。
【００７２】
この実施の形態では、椅子２０を洗い場の隅部床面に置くと、該床面の１次コイル２５と椅子２０の２次コイル２３とが対峙し、電磁誘導により２次コイル２３に誘導電流が流れ、紫外線ＬＥＤ２３が点灯する。これにより、椅子２０の内側領域Ｓ２に紫外線が照射され、紫外線殺菌及び付着有機物の分解が行われる。
【００７３】
なお、この椅子２０の内側（座板部２１の裏面及び脚部２２の内周面）に光触媒層を設けておいてもよい。これにより、紫外線照射時に該光触媒層に紫外線が当り、活性酸素が発生して付着有機物が効率よく分解される。
【００７４】
浴室用ブラシ（以下、単にブラシと称する。）３０は、この実施の形態では、把手部３１と、該把手部３１の一端（先端）側に設けられた植毛部３２と、該把手部３１の他端側に設けられた、フック係合用のリング部３３と、該リング部３３を周回するように設けられた２次コイル３４と、該２次コイル３４に生じた誘導電流により点灯する紫外線ＬＥＤ３５とを有している。
【００７５】
該２次コイル３４は、コイルの軸心方向をリング部３３の軸心方向として、且つ該リング部３３と略同心状に配設されている。この２次コイル３４は、インサート成形等により、該リング部３３の材質中に埋め込まれている。
【００７６】
紫外線ＬＥＤ３５は、この実施の形態では、植毛部３２の植毛された面に連なる把手部３１の一側面に配置されている。なお、この実施の形態では、該把手部３１の延在方向に位置を異ならせて複数個の紫外線ＬＥＤ３５が設けられている。
【００７７】
第１７図に示すように、浴室の壁面には、このブラシ３０用の１次コイル３６と、このブラシ３０を引掛けるためのフック３７とが設けられている。該１次コイル３６は、コイルの軸心方向を該壁面と略直交方向（該壁面の法線方向）として、該壁面に埋め込まれている。該１次コイル３６には、交流電源装置（図示略）から交流電流が供給されている。
【００７８】
フック３７は、該壁面に固定される取付座３７ａと、該取付座３７ａから略水平に延出した磁性金属製軸体３７ｂとからなる。このフック３７は、該軸体３７ｂが１次コイル３６と同心状となるように配置されて壁面に固定されている。ブラシ３０を掛ける場合には、リング部３３にこの軸体３７ｂが挿通される。即ち、この実施の形態では、該軸体３７ｂが鉄心として作用する。なお、該軸体３７ｂの先端側は、リング部３３の脱落を防止するために上方へＬ字形に屈曲している。
【００７９】
ブラシ３０（リング部３３）を、植毛部３２（紫外線ＬＥＤ３５）が壁面を向くようにしてフック３７（軸体３７ｂ）に引掛けると、壁面の１次コイル３６と該リング部３３の２次コイル３４とが対峙すると共に該軸体３７ｂが鉄心として作用し、該２次コイル３４に誘導電流が生じて紫外線ＬＥＤ３５が点灯する。これにより、該ブラシ３０が対面する壁面領域に紫外線が照射され、カビやヌメリの発生が防止される。なお、このブラシ３０が対面する壁面領域に、光触媒層を設けておいてもよい。これにより、紫外線照射時に該光触媒層に紫外線が当り、活性酸素が発生して付着有機物が効率よく分解される。
【００８０】
この実施の形態では、上記のようにフック３７の軸体３７ｂが鉄心として作用するので、２次コイル３４に効率よく誘導電流を発生させることができる。
【００８１】
第１８図は別の実施の形態に係る浴室の天井付近の斜視図であり、第１９図は第１８図のXIX−XIX線に沿う断面図である。
【００８２】
この実施の形態では、浴室の天井に、天井裏スペースの点検用の開口４０が設けられ、この開口４０を覆うように蓋４１が装着されている。この実施の形態の浴室部材は該蓋４１である。
【００８３】
該開口４０及び蓋４１は、この実施の形態では略正方形状となっている。第１９図に示すように、該蓋４１の周縁部からは、側外方へ向ってフランジ４１ａが突設されている。図示の通り、該フランジ４１ａは、蓋４１の下面から上方へ後退した位置から側方へ張り出している。なお、該開口４０の天井裏側の周縁部には、このフランジ４１ａが係合する凹段部４０ａが形成されている。
【００８４】
蓋４１は、開口４０に対し、天井裏側から該開口４０内に落し込まれるようにして装着される。この際、フランジ４１ａが天井裏側から該開口４０の周縁部（凹段部４０）に係合し、蓋４０が固定される。
【００８５】
この開口４０の周囲を周回するように１次コイル４２が設けられると共に、蓋４１の周縁部を周回するように２次コイル４３が設けられている。該１次コイル４２には、交流電源装置（図示略）から交流電流が供給されている。
【００８６】
この実施の形態では、蓋４１の裏側に、該２次コイル４３に生じた誘導電流により点灯して開口４０の裏側スペース（天井裏スペース）に向って紫外線を照射する紫外線ＬＥＤ４４が取り付けられている。
【００８７】
この実施の形態では、開口４０に蓋４１を装着すると、２次コイル４３が１次コイル４２に対峙して該２次コイル４３に誘導電流が発生し、この誘導電流により各紫外線ＬＥＤ４４が点灯する。この結果、開口４０の裏側スペースに紫外線が照射され、紫外線殺菌及び付着有機物の分解が行われる。なお、天井裏に光触媒層を設けておいてもよい。これにより、紫外線照射時に該光触媒層に紫外線が当り、活性酸素が発生して付着有機物が効率よく分解される。
【００８８】
第２０図は別の実施の形態に係る浴室の浴槽側面付近の斜視図であり、第２１図は第２０図のXXI−XXI線に沿う断面図である。
【００８９】
この実施の形態では、浴槽１の側面に装着されるエプロン５０に点検用の開口５１が設けられ、この開口５１に蓋５２が装着されている。この実施の形態の浴室部材も、この蓋５２である。
【００９０】
該開口５１及び蓋５２は、この実施の形態でも略正方形状となっている。第２１図に示すように、該蓋５２の周縁部からは、放射状にフランジ５２ａが突設されている。図示の通り、該フランジ５２ａは、蓋５２の裏面（エプロン５０の裏側を向く面）から表面側へ後退した位置から該表面と面一状に側方へ向って張り出している。なお、該開口５１の周縁部には、このフランジ５２ａが係合する凹段部５１ａが形成されている。
【００９１】
蓋５２を装着するに当っては、浴室内から開口５１に蓋５２を嵌め込む。この際、フランジ５２ａが該開口５１の周縁部（凹段部５１ａ）に係合する。次いで、このフランジ５２ａを該開口５１の周縁部にビス（図示略）留めする。
【００９２】
この開口５１の周囲を周回するように１次コイル５３が設けられると共に、蓋５２の周縁部を周回するように２次コイル５４が設けられている。該１次コイル５３には、交流電源装置（図示略）から交流電流が供給されている。
【００９３】
この実施の形態では、蓋５２の裏側に、該２次コイル５４に生じた誘導電流により点灯して開口５１の裏側スペース（エプロン５０と浴槽１の側面との間のスペース）に向って紫外線を照射する紫外線ＬＥＤ５５が取り付けられている。
【００９４】
この実施の形態では、開口５１に蓋５２を装着すると、２次コイル５４が１次コイル５３に対峙して該２次コイル５４に誘導電流が発生し、この誘導電流により各紫外線ＬＥＤ５５が点灯する。この結果、開口５１の裏側スペースに紫外線が照射され、紫外線殺菌及び付着有機物の分解が行われる。なお、エプロン５０の裏側及び浴槽１の側面（フランジ１ａの裏面も含む）に光触媒層を設けておいてもよい。これにより、紫外線照射時に該光触媒層に紫外線が当り、活性酸素が発生して付着有機物が効率よく分解される。
【００９５】
上記の各実施の形態はいずれも本発明の一例を示すものであり、本発明は上記の各実施の形態に限定されるものではない。
【００９６】
例えば、本発明は、浴槽の蓋や浴室用椅子、浴室用ブラシ、各種点検用開口の蓋以外の種々の浴室部材にも適用することができる。
【図面の簡単な説明】
【００９７】
【図１】実施の形態に係る蓋付き浴槽の断面図である。
【図２】蓋装着前の浴槽（浴室）の平面図である。
【図３】蓋装着後の浴槽（浴室）の平面図である。
【図４】（ａ），（ｂ）はそれぞれ蓋を正しく装着した状態及び蓋を表裏逆にして装着した状態を示す浴槽のフランジ付近の断面図である。
【図５】紫外線発光装置（２次コイル側）の概略図である。
【図６】蓋を誤った姿勢にて浴槽に装着した状態の一例を示す浴槽の平面図である。
【図７】蓋を誤った姿勢にて浴槽に装着した状態の一例を示す浴槽の平面図である。
【図８】実施の形態に係る蓋付き浴槽の平面図である。
【図９】図８の蓋付き浴槽の平面図である。
【図１０】図８の蓋付き浴槽の平面図である。
【図１１】実施の形態に係る蓋付き浴槽の平面図である。
【図１２】図１１の蓋付き浴槽の平面図である。
【図１３】図１１の蓋付き浴槽の平面図である。
【図１４】実施の形態に係る蓋付き浴槽の紫外線発光装置の概略図である。
【図１５】実施の形態に係る浴室の洗い場隅部付近の斜視図である。
【図１６】図１５のXVI−XVI線に沿う断面図である。
【図１７】図１５のXVII−XVII線に沿う断面図である。
【図１８】実施の形態に係る浴室の天井付近の斜視図である。
【図１９】図１８のXIX−XIX線に沿う断面図である。
【図２０】実施の形態に係る浴室の浴槽側面付近の斜視図である。
【図２１】図２０のXXI−XXI線に沿う断面図である。
【符号の説明】
【００９８】
１  浴槽
２，２Ｌ，２Ｒ  蓋
３  １次コイル
４  マグネット
５  紫外線ＬＥＤ
６  ２次コイル
７  リードスイッチ
１０  モニター回路
１１  インピーダンス調整回路
２０  浴室用椅子
２１  座板部
２２  脚部
２３  ２次コイル
２４  紫外線ＬＥＤ
２５  １次コイル
３０  浴室用ブラシ
３１  把持部
３２  植毛部
３３  リング部
３４  ２次コイル
３５  紫外線ＬＥＤ
３６  １次コイル
３７  フック
４０，５１  開口
４１，５２  蓋
４２，５３  １次コイル
４３，５４  ２次コイル
４４，５５  紫外線ＬＥＤ
【図１】
2006305109.tif 000003
【図２】
2006305109.tif 000004
【図３】
2006305109.tif 000005
【図４】
2006305109.tif 000006
【図５】
2006305109.tif 000007
【図６】
2006305109.tif 000008
【図７】
2006305109.tif 000009
【図８】
2006305109.tif 000010
【図９】
2006305109.tif 000011
【図１０】
2006305109.tif 000012
【図１１】
2006305109.tif 000013
【図１２】
2006305109.tif 000014
【図１３】
2006305109.tif 000015
【図１４】
2006305109.tif 000016
【図１５】
2006305109.tif 000017
【図１６】
2006305109.tif 000018
【図１７】
2006305109.tif 000019
【図１８】
2006305109.tif 000020
【図１９】
2006305109.tif 000021
【図２０】
2006305109.tif 000022
【図２１】
2006305109.tif 000023